(57)【要約】本発明は、取引中に支払の経過に影響を与えるためのシステムに関する。このシステムは、取引に支払われなければならない総額を与えるように配置されるＰＯＳ端末と、処理デバイス、顧客による操作のための第１の操作機器、および顧客が読みとるための第１の表示装置を備える宝くじ端末と、宝くじ端末と有効に接続される宝くじサーバーと、を備える。宝くじ端末は、宝くじの購入に対する注文を受け取り、宝くじサーバーへの宝くじ参加問合せを送信し、宝くじサーバーからの宝くじ参加結果を受け取り、かつ、もし宝くじ参加結果が賞を示すならば、第１の表示装置上に賞に関する通知を表示する、ように配置される。宝くじサーバーは、宝くじ端末から宝くじ参加問合せを受け取って、宝くじ参加問合せに基づいて宝くじ参加結果を提供して、宝くじ参加結果を宝くじ端末に送信するように配置される。ＰＯＳ端末は、もし宝くじ参加結果が賞を示すならば、取引のために支払われなければならない総額を、減少させ、抹消させあるいは、クレジットさせるように配置される。【選択図】図１
2008525879.tif 000002
【特許請求の範囲】
【請求項１】
取引中に支払の経過に影響を与えるためのシステムであって、
−  前記取引のために支払われなければならない総額を与えるように配置される、ＰＯＳ端末と、
−  処理デバイス、顧客による操作のための第１の操作機器、および前記顧客が読みとるための第１の表示装置を備える、宝くじ端末と、
−  前記宝くじ端末に有効に接続される、宝くじサーバーと、を備え、
前記宝くじ端末が、
−  宝くじの購入のための注文を受け取る、
−  宝くじ参加問合せを前記宝くじサーバーに送信する、
−  前記宝くじサーバーから宝くじ参加結果を受け取る、
−  もし前記宝くじ参加結果が賞を示すならば、前記第１の表示装置上に前記賞に関する通知を表示する、ように配置され、
前記宝くじサーバーが、
−  前記宝くじ端末から宝くじ参加問合せを受け取る、
−  前記宝くじ参加問合せに基づいて宝くじ参加結果を提供する、および、
−前記宝くじ端末に前記宝くじ参加結果を送信する、ように配置され、および、
前記ＰＯＳ端末が、
−  もし前記宝くじ参加結果が賞を示すならば、前記取引のために支払われなければならない前記総額を減少させあるいは抹消させる、ように配置される、ことを特徴とするシステム。
【請求項２】
前記宝くじ端末が、前記ＰＯＳ操作者による操作のための第２の操作機器を更に備え、前記宝くじ端末が、更に前記第２の操作機器を操作することによって宝くじの購入のための前記注文を受け取るように配置され、前記宝くじ端末が、前記ＰＯＳ操作者が読みとるための第２の表示装置を更に備え、および、前記宝くじ端末が、更に前記第２の表示装置上に賞に関する前記通知を表示するように配置される、請求項１に記載のシステム。
【請求項３】
前記宝くじ参加結果が、前記宝くじ端末（１１０）から電子的通信リンク経由で前記販売端末（１７０）まで送信される、請求項１−２に記載のシステム。
【請求項４】
取引中に支払の経過に影響を与えるためのシステムにおける宝くじ端末であって、前記システムがＰＯＳ操作者による操作のためのＰＯＳ端末であって、
−  前記取引のために支払われなければならない総額を与える、および、
−  もし宝くじ参加結果が賞を示すならば、前記取引のために支払われなければならない総額を減少させあるいは抹消する、ように配置される、ＰＯＳ端末と、
前記宝くじ端末に有効に接続される宝くじサーバーであって、
−  前記宝くじ端末から宝くじ参加問合せを受け取る、
−  前記宝くじ参加問合せに基づいて宝くじ参加結果を提供する、および、
−前記宝くじ参加結果を前記宝くじ端末に送信する、ように配置される、宝くじサーバーと、を備え、
この宝くじ端末は、処理デバイス、顧客による操作のための第１の操作機器および前記顧客が読みとるための第１の表示装置、を備え、かつ、
−  宝くじの購入のための注文を受け取る、
−  宝くじ参加問合せを前記宝くじサーバーに送信する、
−  前記宝くじサーバーから宝くじ参加結果を受け取る、
−  もし前記宝くじ参加結果が賞を示すならば、前記第１の表示装置に前記賞に関する通知を表示する、ように配置される、宝くじ端末。
【請求項５】
前記ＰＯＳ操作者による操作のための第２の操作機器を更に備え、更に、前記第２の操作機器を操作することによって宝くじの購入のための前記注文を受け取るように配置され、前記ＰＯＳ操作者が読みとるための第２の表示装置を更に備え、かつ、更に、前記第２の表示装置上に賞に関する前記通知を表示するように配置される、請求項４に記載の宝くじ端末。
【請求項６】
前記宝くじ端末（１１０）から電子的通信リンク経由で前記ＰＯＳ端末（１７０）まで前記宝くじ参加結果を送信するステップを更に含む、請求項４−５に記載の宝くじ端末。
【請求項７】
取引中に支払の経過に影響を与えるための方法であって、ＰＯＳ操作者による操作のためのＰＯＳ端末において、前記取引のために支払われなければならない総額を与えるステップと、処理デバイス、顧客による操作のための第１の操作機器、および前記顧客が読みとるための第１の表示装置を備える、宝くじ端末において、
−  宝くじの購入のための注文を受け取るステップと、
−宝くじ参加問合せを前記宝くじサーバーに送信するステップと、
−  前記宝くじサーバーから宝くじ参加結果を受け取るステップと、
−  もし前記宝くじ参加結果が賞を示すならば、前記第１の表示装置上に前記賞に関する通知を表示するステップと、
前記宝くじ端末に有効に接続される宝くじサーバーにおいて、
−  前記宝くじ端末から宝くじ参加問合せを受け取るステップと、
−  前記宝くじ参加問合せに基づいて宝くじ参加結果を提供するステップと、
−  前記宝くじ端末に前記宝くじ参加結果を送信するステップと、
前記ＰＯＳ端末において、もし前記宝くじ参加結果が賞を示すならば、前記取引のために支払われなければならない前記総額を減少させあるいは抹消させるようにするステップと、を含む方法。
【請求項８】
前記宝くじ端末において、前記ＰＯＳ操作者による操作のための第２の操作機器を操作することによって宝くじの購入のための前記注文を受け取るステップと、
前記宝くじ端末において、前記ＰＯＳ操作者が読みとるための第２の表示装置上に前記賞に関する前記通知を表示するステップと、を更に含む、請求項７に記載の方法。
【請求項９】
前記宝くじ端末（１１０）から電子的通信リンク経由で前記ＰＯＳ端末（１７０）まで前記宝くじ参加結果を送信するステップ、を更に含む、請求項７−８に記載の方法。
【請求項１０】
宝くじへの参加を実行して、取引中に支払の経過に影響を与えるためのシステムであって、前記宝くじへの前記参加の結果が、前記取引のために支払われなければならない総額の変更を生じさせるシステム。
【発明の詳細な説明】
【技術分野】
【０００１】
本発明は宝くじおよび小売技術に関する。
より詳しくは、本発明は取引中に支払の経過に影響を与えるためのシステム、端末および方法に関する。
【背景技術】
【０００２】
統合ＰＯＳ端末および宝くじ端末は、従来技術において公知である。例えば、ＷＯ−０３／０９４１１９は、取引価格と関連する商取引を実行し、切符番号を受け取り、かつ切符番号と取引賞の間がある所定の関係の場合には、賞を受け取る、ことを含むゲームに賭けるための方法を開示する。
【発明の開示】
【０００３】
本発明の目的は、取引中に支払の経過に影響を与えるためのシステムを提供することである。特に、宝くじサーバーと宝くじ端末との間の対話において実行される通信および処理手続きの結果として、支払の経過中に支払われなければならない総額を減少させあるいは抹消するためのシステム、端末および方法を提供することが、本発明の目的である。
取引中に支払われなければならない総額が宝くじへの参加の結果によって影響される、宝くじへの参加の実現および取引中の支払の経過に影響を与えるシステムを提供することもまた、一目的である。
従来技術と関連する欠点を除去し、あるいは減少させる、前述したもののような解決策を提供することが更なる目的である。本発明は、以下の独立請求項から明らかになる。有利な実施態様は、従属請求項において示される。
【発明を実施するための最良の形態】
【０００４】
図１は、本発明に従うシステムの概略構造を例示するブロック図である。
このシステムは、取引中に支払の経過に影響を与えるように配置される。システムは、ＰＯＳ端末１７０、宝くじ端末１１０および宝くじサーバー１４０を備える。
顧客１０４は、販売点に位置し、例えば売店内のチェックアウト店員などのＰＯＳ操作者１０２によって応対をされる。ＰＯＳ操作者１０２は、例えば通常のレジなどのＰＯＳ端末１７０を操作する。ＰＯＳ端末１７０は、したがって、通常はキーボード（図示せず）および商品上の光学あるいは電子タグを読みとるための装置、例えばバーコードリーダ（図示せず）によって、ＰＯＳ操作者１０２によって操作されるように配置される。ＰＯＳ端末１７０は通常は、取引の完了の後で外部支払システムとの支払取引を実行するように配置される、有線接続あるいは無線の支払端末を更に備える。本発明の基本目的に対して、しかし、ＰＯＳ端末１７０が取引のために支払われなければならない総額１７２を提供するように配置されることは、充分である。これは、例えば、総額１７２に対応するデータが、例えばＰＯＳ端末１７０の電子メモリなどのレジスタ内に保存されることを含むことができる。
本発明の結果として、支払の経過は、取引中に影響を与えられる。特に、宝くじ端末１１０と宝くじサーバー１４０との間の対話において実行される通信および処理手続きの結果として、顧客が取引のために支払わなければならない総額１７２は減少させられ、あるいは抹消される。この目的のために、宝くじ参加結果が賞を示すかどうかの通知をＰＯＳ端末１７０が受け取るように配置され、もしそうであれば取引のために支払われなければならない総額１７２を、減少されあるいは抹消されるようにする。
この通知は、異なる方法でＰＯＳ端末に供給されることができる。好ましい場合において、ＰＯＳ端末１７０は、ＰＯＳ端末１７０と宝くじ端末１１０との間の通信リンク１２８からこのような通知を受け取るように配置されることができる。通信リンク１２８は、例えばケーブル経由のシリアル通信などの有線接続、あるいは、例えばブルートゥース通信ベースの無線とすることができる。
変形例として、通知がＰＯＳ操作者１０２に与えられることができ、その人がＰＯＳ端末上のキーボードを操作することによって手動形態で総額１７２に影響を与える。
特に有利な実施態様において、総額１７２が減少され、あるいは抹消されるようにするステップは、総額を抹消すること、すなわち顧客が支払わなければならない総額をゼロにセットすることを含む。より技術的な用語では、これは総額が保存されるように保たれているレジスタあるいは記憶場所の内容をゼロに合わせることによってなされることができる。このようにして、宝くじに参加することによって、もし顧客が賞を獲得するならば、彼が「今日のお買い得を獲得する」ことができることで、特に好都合な利点が達成される。しかし、このステップはその代わりとして総額を減少させることを含むことができ、それは総額が保存されるように保たれているレジスタあるいは記憶場所の内容を減少させることによって同じように実施されることができる。これは、例えば、もしアプリケーションレベルの解決策が、達成されることができる賞の「天井」を含むならば有利であることができる。例えば、顧客は、今日のお買い得を獲得することができるが、ＮＯＫ  ５００の上限付きであり、もし総額がＮＯＫ  ５００以下であるならば、前記ステップは総額を抹消することを含み、一方総額がＮＯＫ  ５００より大きかった場合、ＮＯＫ  ５００まで総額を減少させることを含む、解決策が実施されることになる。
もし賞が獲得されるならば、ＰＯＳ端末は取引のために支払われなければならない総額を減少され、あるいは抹消されるように配置される、とたとえ述べられているとしても、もしＰＯＳ端末が代わりとして顧客にクレジットするように配置されるならば、例えば一致する総額上の残高を示す貸方票を発行することによって、類似した、有利な効果が達成されることは、理解されるべきである。
宝くじ端末１１０は、処理デバイス１１６、例えばマイクロプロセッサ、顧客１０４による操作のための第１の操作機器１１４、例えばキーボード、および、第１の表示装置１１２、例えば顧客１０４によって読みとられるディスプレイ、を備える。第１の操作機器１１４および第１の表示装置１１２は、有利な方法で、接触検出ディスプレイの形で、同じ一つの物理的装置に集積化されることができる。
プロセッサ１１６に有効に接続される記憶装置（図示せず）内に保存されるコンピュータープログラムに含まれる、プロセッサ１１６によって実行されることができる命令によって、宝くじ端末１１０は、以下の諸ステップを実行するように配置される：
（１）宝くじ端末１１０が、宝くじの購入を求める注文を受け取るように配置される。この注文は、通常は第１の操作機器１１４を読みとることによって顧客から受け取られる。
（２）宝くじ端末１１０は、更に宝くじ参加問合せを宝くじサーバー１４０に送信するように配置される。これは、通常はワイヤレス通信リンク１０２、例えばＷＬＡＮ、ＵＭＴＳあるいはＧＳＭリンク、経由でこのような問合せを宝くじサーバー１４０に送信するプロセッサ１１６によってなされる。この通信は、宝くじ端末１１０と宝くじサーバー１４０との間で必ずしも直接実施されず、代わりとして複数の異なるサーバー、ネットワークおよびサブネットワーク経由で実施されることができ、例えば、プロセッサ１１６は、第２の有線接続あるいは無線形式の通信および／またはプロトコル経由で宝くじサーバー１４０に通知を渡すように配置される、中間コンピュータあるいはネットワークコンポーネントに対して、ブルートゥース通信のような無線ローカル接続を活性化することができる、ことは理解されよう。実際の問合せは、単一の、同一とみなしうるメッセージによって実行されることができる。
（３）宝くじ端末１１０は、更に宝くじサーバー１４０から宝くじ参加結果を受け取るように配置される。この結果は、下記で要点（ｉｉ）および（ｉｉｉ）のもとで示されるように、宝くじサーバー１４０によって生成されて、送信される。
システムが同時に２つの宝くじを提供する特別な実施態様において、宝くじ端末１１０は更に宝くじサーバー１４０から追加の宝くじ参加結果を受け取るように配置される。
（４）宝くじ端末１１０は、更に宝くじ参加結果が賞を示すかどうか確認するように、そして、もしそうであれば、第１の表示装置１１２上に賞に関する通知を表示するように配置される。これは、通常は表示装置１１２上にテキストおよび／または図式記号の形でのメッセージの表示を活性化するプロセッサ１１６によって実施される。
システムが同時に２つの宝くじを提供する特別な実施態様において、宝くじ端末は、更に各々の受け取られた宝くじ結果が賞を示すかどうか確認して、このような賞に関する通知を表示装置１１２上に表示するように配置される。
宝くじ端末１１０は、有利にはＰＯＳ操作者による操作のための第２の操作機器１２２を更に備える。この場合において、宝くじ端末は更に有利には、第２の操作機器の操作上で宝くじの購入のための注文を受け取るように配置される。最も単純な種類において、第２の操作機器１２２は、押しボタンから成ることができる。
第１の操作機器１１４が操作された結果として、ユーザーに追加のサービスへのアクセスを与えるように配置される宝くじ端末の特別な実施態様において。この場合、ユーザーの宝くじの購入は、追加のサービスに対する「入場券」として作用する。特に、このような追加のサービスは、宝くじ参加結果が賞を示さない場合でさえ、支払われなければならない総額が減少される結果になるかもしれない。これは結果として、例えば切符購入のための出資に対応する総額だけ、支払われなければならない総額が減少されることになるかもしれない。もしユーザーがこの種類の追加のサービスを選択するならば、これの結果として、ユーザーは無料で切符を受け取る。
宝くじ端末１１０は、有利にはＰＯＳ操作者が読みとるための第２の表示装置１２４を更に備える。この場合において、宝くじ端末は、更に有利には、第２の表示装置１２４上に賞に関する通知を表示するように配置される。最も単純な種類において、第２の表示装置１２４はインジケータ、例えば表示ランプから成ることができ、それは賞に関する通知を示す。代替法として、それはテキストおよび／またはグラフィックスを表示するためのディスプレイを備えることができる。
第２の操作機器１２２および第２の表示装置１２４は、同じ一つの遠隔制御装置あるいは「パッド」１２０内に有利には含まれる。遠隔制御装置（パッド）１２０と宝くじ端末１１０との間の通信は、有線接続１２６あるいは無線（図示せず）通信リンクを用いて遂行されることができる。
好ましくは、上記の通りに、ワイヤレス通信リンク１０２によって、宝くじサーバー１４０は、宝くじ端末１１０に有効に接続される。
宝くじサーバー１４０は、以下の諸ステップを実行するように配置される：
（ｉ）宝くじサーバー１４０は、上の要点（２）で記載されたように、宝くじ端末から宝くじ参加問合せを受け取るように配置される。
（ｉｉ）宝くじサーバー１４０は、更に宝くじ参加問合せに基づいて宝くじ参加結果を提供するように配置される。これは、切符番号を生成して、そして次に、当該の切符番号と関連する結果の予め引かれたリストが予め格納される宝くじサーバー内のデータベース１４２で調査することによって「くじを引く」サーバーによって行う。
特に、ランダムなあるいは疑似ランダム切符番号が、ランダム発生器によって宝くじサーバー１４０の中で生成される。好ましくは、および、セキュリティの理由で、ハードウエアベースのランダム発生器が、使用される。過去にさかのぼらないくじが、好ましくは使用される、すなわち、すでに引かれた切符番号は次のくじ引きでは利用可能でない。
したがって、最も単純な種類では、宝くじサーバー１４０は、宝くじ参加問合せが賞に結びついたか否か、について表示する二者択一の結果を生成するように配置される。
（ｉｉｉ）宝くじサーバー１４０は、更に宝くじ参加結果をワイヤレス通信リンク１０２経由で宝くじ端末に送信するように配置される。
システムが同時に２つの宝くじへの参加を提供する特別な実施態様において、宝くじサーバーは、追加の宝くじ結果を提供して、この追加の宝くじ結果をワイヤレス通信リンク経由で宝くじ端末に送信するように配置されることができる。
最後に述べられた場合に代わるものとして、追加の宝くじ結果を提供する追加の宝くじサーバー（例示せず）が、設置されることができ、そして、それはまた、例えば上で説明されたものと同じ方法で、宝くじ結果を提供するために、そして、さらに、ワイヤレス通信リンク経由で宝くじ端末まで宝くじ参加結果を送信するために、宝くじ端末から宝くじ参加問合せを受け取るように配置される。この場合、宝くじ結果の独立した準備のための別のサーバーによって、サーバーは好ましくは宝くじ端末から送信される同じ一つの宝くじ参加問合せに応答する。代替法として、サーバーは宝くじ端末から送信される別の宝くじ参加問合せに応答することができる。
宝くじサーバー１４０は、ネットワーク経由で外部コンピュータとの通信のために更に配置される。この通信は、例えば、インターネット経由で行う仮想専用ネットワーク経由であるいは他のインターネットベースのネットワーク通信、好ましくは安全な／暗号化された通信、例えばＳＳＬによって、実施されることができる。
例えば、宝くじサーバーは、公的宝くじ監督当局が検査に対するアクセスおよびデータベース１４２の制御を有するように、この当局の構内のコンピュータと通信するように配置されることができる。
さらに、宝くじサーバーは、例えばローカルネットワーク経由で、管理サーバーと通信するように配置されることができ、その一部分に対して管理サーバーが、ウエブベースのインターフェースをユーザー、販売建物、宝くじ端末、切符系列、などに関する管理および監督のために提供するように配置される。
図２は、本発明の方法に関して略図で例示する流れ図である。
３つの垂直線は、それぞれＰＯＳ端末１７０、宝くじ端末１１０および宝くじサーバー１４０と関連するべきものである。図内の各々の矢印は、矢印が１つの垂直線からもう一方まで及ぶこれらの３台のシステムユニットのうちの２台間の通信を含む動作、あるいは、矢印が垂直線から同じ垂直線へ戻る個々のユニットの中で、内部的に実行される動作、のどちらかを表示する。
２０２において、ＰＯＳ端末１７０が取引に支払われなければならない総額を与えることを含む、初期のステップが例示される。個々の場合において、これはＰＯＳ操作者がキーボードあるいは光学バーコード読取り装置を用いて商品の部分的総額を入力することを含むことができる。これらは、取引のために支払われなければならない、かつ、レジスタあるいはメモリ位置に含まれる、総額までＰＯＳ端末１７０内に追加される。販売端末１７０は、レジを備えることができ、構成することができ、あるいはその中に含まれることができる
２０４において、第２の初期のステップは、宝くじに関する注文、すなわち宝くじへの参加に関する顧客からの注文、を含んで例示される。このような注文を受け取ったあと、宝くじ端末１１０は、宝くじに関する問合せを宝くじサーバー１４０に送信する２０６ように配置される。宝くじサーバー１４０はこの問合せを受け取り、そこで、宝くじ参加結果を提供するステップ２０８が、すでに図１に関して上で論じられたように、宝くじサーバー内で実行される。この宝くじ参加結果は、宝くじ端末１４０に返される２１０。
宝くじ端末１４０において、ステップ２１２は結果が賞を示すかどうか決定するために内部的に実行される。最も単純な種類において、この場合、ステップ２１０の宝くじ端末によって受け取られる結果は賞が獲得されたか否かを直接示すので、このステップ２１２は些細な事柄である。
もし受け取られた結果が賞を示すならば、宝くじ端末が、賞が獲得されたＰＯＳ端末１７０に通知を送信する２１４ようにされる。前述のように、この通知は、自動あるいは手動で提供されることができる。いずれにせよ、ステップ２１６で、通知に応答して、ＰＯＳ端末は、取引と関連した、およびＰＯＳ端末１７０のメモリレジスタ内に好ましくは保存される、関連する総額を、減少させあるいは抹消させあるいは、代わりにクレジットさせる。さらに、ステップ２１８で、通知が宝くじ端末上で賞に関して表示される。通知は、顧客が読みとるために第１の表示装置１１２上に、おそらくまた、ＰＯＳ操作者が読みとるために第２の表示装置１２４上に、宝くじ端末１１０によって表示される。
上記の発明の詳細な説明は、好ましい実施態様の非制限例として提供される。宝くじおよび小売技術の当業者は、しかし、数多くの変形例および代替が本発明の範囲内に存在することを理解するであろう。
特に、図１にて例示したように、このシステムは最小構成を表す単純化された、概略システムである、ことは理解されよう。実際には、もし多数の宝くじ端末が使用されるならば、それは有利であり、それは、例えば全国にわたって、あるいは代わりに、あるいは加えて、国境を横断して、分散された売店内に物理的に設置することができる。宝くじサーバーは、多数の宝くじ端末、例えば数１０００端末を取り扱うように配置されることができる。このような宝くじサーバーは、宝くじ端末から地理的に遠く離れて、例えばその国の異なる部分にあるいは異なる国に、位置することができる、ことは容易に理解されよう。システムのコンポーネントが国境をこえて分散され、ネットワーク経由で有効に／通信で接続されるところでは、本発明の保護の有効範囲を評価するための重要な因子は、宝くじ端末が動作することができる、宝くじサーバー、およびシステムに含まれるその他の端末および／またはサーバー、の物理的位置から独立した位置で、システムは実施される、ことが指摘されるべきである。
上述のごとく表現「総額が、減少されあるいは抹消される」は、好ましくは関係する総額あるいは総額の一部に対するクレジットの準備をもまた含むことが理解されるべきである。
詳細な説明は、ＰＯＳ端末が、例えば、ＰＯＳ操作者によって操作されるレジとすることができる、ことを示す。しかし、本発明の原則は、ＰＯＳ端末が取引のために支払われなければならない総額を提供して、管理する無人の端末である場合にも等しくよくあてはまることは理解されよう。これの１つの例は、ＰＯＳ端末が、硬貨、紙幣、支払／クレジットカードあるいは移動通信ベースの支払手段によって操作されることができるベンディングマシンを備えて、構成してあるいはその中に含まれる場合である。別の例は、ＰＯＳ端末が、セルフサービスの買物に用いられる無人の登録および支払端末を備えて、構成してあるいはその中に含まれる場合である。
たとえ本発明が明らかに、売店（例えば食品雑貨店、給油所あるいはキオスク）、のような公的な／コミュニティの商業的な建物と関連して使われることができるとしても、本発明の適用の範囲はそれに限定されない、ことは理解されよう。例えば、本発明はインターネット経由の買物に使用されることができる。この場合、これが、宝くじサーバーに加えて、必要なＰＯＳ端末および宝くじ端末機能を提供するウエブサーバ（複数のサーバー）と通信する、ウェブブラウザを実行するので、ＰＯＳ端末および宝くじ端末はユーザーのコンピュータによって両方とも実現することができる。
更なる変形および変更は、当業者にとって明らかである。本発明の有効範囲は、したがって、以下の特許請求の範囲およびそれらの等価物から明らかである。
【図面の簡単な説明】
【０００５】
本発明は、次に添付の図面で例示される実施態様に関して、より詳細に記載され、
【図１】は、本発明に従うシステムの概略構造を例示するブロック図であり、および、
【図２】は、本発明に従う方法に関して略図で例示するフローチャートである。
【図１】
2008525879.tif 000003
【図２】
2008525879.tif 000004
【国際調査報告】
2008525879.tif 000005
2008525879.tif 000006
2008525879.tif 000007